(57)【要約】【課題】卓上照明器具において利用時に発生する手の影やパソコン画面への映り込み、また、紙面の反射等、利用に支障をきたすことのない卓上照明器具を提供することを課題とする。【解決手段】卓上照明器具の照明部（１）を横長形状とし、該照明部（１）に複数の発光部（２）を備え、照射位置設定レバー（６）により該発光部（２）の各各の照射状態をコントロールし、例えば左端のみの照射、若しくは右端のみの照射、または全体での照射等により照射角が変更されることにより紙面の反射を防ぐことができる。  また、照明部（１）に備えられたフロントシェード（３）及びバックシェード（４）を利用することによりパソコン画面への映り込みを防止し、目に対する眩しさも防ぐことができる。【選択図】図３
2015146238.tif 000002
【特許請求の範囲】
【請求項１】
卓上照明器具において、横長となる照明部の複数箇所に発光部を備え、該照明部に備えられた両端の発光部は其其一箇所のみで最大照度を有する。それら各各の発光体を照射コントロールレバーにより発光状態（発光量）をコントロールし、照明部内において照射位置（発光位置）を任意に設定できることを特徴とする卓上照明器具。
【請求項２】
卓上照明器具のシェード部分の横断面形状を略円形とし、該シェード部分の前面側にフロントシェードを備え後面側にバックシェードを備え該フロントシェードとバックシェードが摺動し、任意の位置にて停止する構造とすることを特徴とする請求項１の卓上照明器具。
【発明の詳細な説明】
【技術分野】
【０００１】
本発明は、電気スタンド等卓上照明器具に関する。
【背景技術】
【０００２】
卓上照明器具は主に横長の形状で蛍光灯あるいは近年においてはＬＥＤによるものが主流である。また、従来の丸形電球を利用し花柄のシェードをあしらいインテリア装飾を重視した形態のものもあるが、電気代もさることながら機能的には大きく劣るものでありむしろ利用目的の異なるものであるといえる。
【０００３】
横長の形状となる卓上照明器具（製図用クリップ式、吊り下げ式を含む）の利点は文字等を書く際に手の影ができないことにある。そこで、その効果を顕著にすべく方法として特許文献１においては照明部を手動にて移動させ、照射位置を変更する手段が開示されている。また、照度を適正化させるべく調光機能を備えた特許文献２もみられる。
【先行技術文献】
【特許文献】
【０００４】
【特許文献１】特開２０１１−２５３７５７号公報
【特許文献２】特開２００６−１２８０３５号公報
【発明の概要】
【発明が解決しようとする課題】
【０００５】
しかし、卓上照明器具の課題は他にもあり、例えばグラビア誌を見る場合、光の反射は非常に大きく紙面が光り見にくいものである。鉛筆で書かれた文字も反射のため見えにくいものであり、通常の紙面の反射における眩しさも軽視できるものではない。
【０００６】
また、近傍に置かれたパソコン画面やテレビ画面に電球が移り込みその部分の文字は読みとることができない。これに対し特許文献１の場合、照明部の位置を手動にて移動させ映り込みを防ぐこととなる。しかし、照明器具とパソコン画面の位置関係においては防ぐことができない場合も生ずる。
【０００７】
映り込みを防ぐにはシェードの角度を変え、奥側を低くすることで防ぐことはできるが手前側は高くなり視界が眩しくなってしまう。そこで、照明部分を低く設定する方法が考えられるが照射部分が不必要に明るくなり眩しい状況となる。これに対しては特許文献２において対応することができる。しかし、照明部が低いことによりパソコン画面を見る場合、視界を遮ることとなる。さらに本立てにある本や書類を取り出す際にも支障を来すこととなる。いずれにおいても照明部を手動にてそのつど移動させることは煩瑣であり効果的とはいえない。そこで卓上照明器具における幾つかの問題を解消し操作方法も容易となる卓上照明器具を提供することを課題とする。
【課題を解決するための手段】
【０００８】
本発明による卓上照明器具は照明部を移動することによって照射位置を変更するのではなく、照明部内において照射位置を変更することを特徴とする。構造としては、例えばシェードの幅が５０センチメートルとした場合、シェードの両端に必要照度を有する発光部を備え、該両端の発光部との間において複数個の発光部を備える。
【０００９】
これらの発光部は、回転操作により調光制御を行うつまみ部（以下照度設定ダイヤルという）により例えば最低５ワットから最高３０ワットへと調光される。また、スライド操作による照射位置設定レバーにより任意の位置への照射が可能であり、照射位置設定レバーが右端の場合は右端の発光部のみで照射され、照射位置設定レバーが中央部にある場合は全体の発光部により照射され、照射位置設定レバーが左端の場合は、左端の発光部のみで照射される。よって、両端の発光部は最大３０ワットの照度を有することとなり、照射位置設定レバーの位置が照射位置の中心となる。
【００１０】
次にパソコン画面等への映り込みに対する防止方法を述べると、シェードの横断面形状を半円筒形とし、半円筒形の開口部より照射することとなる。該開口部は手前側と奥側に其其内殻（シェード）を備え、手前側のフロントシェードを下げることにより視界の眩しさを防ぐことができ、奥側のバックシェードを下げることによりパソコン画面への映り込みを防ぐことができる。また、両者のシェードを下げることにより照明部を高い位置に設定して利用した場合でも、目に対する眩しさやパソコン画面への映り込みも防止することができる。
【発明の効果】
【００１１】
本発明による卓上照明器具は、照明部に備えられた複数の発光部において、該発光部の点灯状態をコントロールすることにより適切な照射位置を確保することができ、筆記の際に起きやすい手の影を防ぐことができる。また、必要箇所に照度を集中させることができ尚かつ紙面の反射を防ぐものであり、目に対する眩しさを防止する効果に秀れるものである。特にグラビア詩を見る際に起こる紙面の反射は非常に大きなものであるが、照射位置（光線の反射角）を変更することにより大きな効果を奏するものである。
【００１２】
また、目に対し照明部からの直接の眩しさやパソコン画面の映り込みに対しては、フロントシェード及びバックシェードを備えることで解消できるものである。更にこのシェードを備えることで照明部を高い位置にて利用できるためシェードが視界を遮ることもなく机上での作業にも支障をきたすものではない。また、照明部を手動で移動させる必要もなく様様な状況に容易に対応することができる。
【図面の簡単な説明】
【００１３】
【図１】本発明による卓上電気スタンドの正面図
【図２】本発明による卓上電気スタンドの側面図
【図３】本発明による卓上電気スタンドの照明部の底面図及び発光部見取図
【図４】本発明による卓上電気スタンドのシェード収納時断面見取図
【図５】本発明による卓上電気スタンドのシェード利用時断面見取図
【図６】本発明による卓上電気スタンドの照度設定ダイヤル及び照度設定レバー取付見取図
【発明を実施するための形態】
【００１４】
形態について詳しく説明すると、照明部（１）は発光部（２）を備えたシェード全体でありフロントシェード（３）及びバックシェード（４）と一体となる。照明部（１）は、例えば幅５０センチメートルで横長の形状であり従来の卓上蛍光灯スタンドに似る。照明部の幅は小型電気スタンドの場合は３５センチメートルでもよく、製図等に利用する場合は略７０センチメートルが適切であり、用途に応じた幅となる。また、卓上型、クリップ型、吊り下げ型等設置状態も用途に応じたものとなる。
【００１５】
発光部（２）はＬＥＤ電球を複数個備えたものであって、両端の発光部を各各単独にて利用する場合があるため、例えば片側端部のみで最大３０ワットを備え利用状況に対応しなければならない。中央部は発光部を3箇所備え照射位置が中央部で照度３０ワットとした場合、両端部の１灯若しくは４灯が片側６ワットずつ、中央部は１灯につき６ワットずつで合計３０ワットの照射状態となる。
【００１６】
照射位置設定レバー（６）を移動することにより、片側の照度が増大し反対側の照度が減少することで照射位置が移動し、照射位置設定レバー（６）が左端に設定されると、発光部（２）に備えられた左端の４灯により３０ワットの照度を得ることができる。また、両端に備えられた発光部（２）は照射位置を真下ではなく、やや中央よりにすることが好ましい。
【００１７】
照射位置設定レバー（６）と照度設定ダイヤル（５）の取り付け位置は、卓上型においてはスタンドを設置するための底板に備えることもできるが、クリップ式や吊り下げ式においてはアームの途中やシェード部分に備える場合もある。
【００１８】
次に照明部（１）の主要部となるシェードについて説明すると、照明部（１）は略円形であり、フロントシェード（３）とバックシェード（４）は照明部（１）のシェードの内側若しくは外側に嵌合され摺動可能となる。該フロントシェード（３）とバックシェード（４）は手動によるつまみ部を備え各各任意の位置に設定可能となる。また、シェード内側の反射構造においては、光源をＬＥＤとした場合ＬＥＤは照射指向性に秀れるため、従来の蛍光灯利用時におけるシェード内側の反射構造に比べ顕著ではないものの、本発明による可動式シェードを最下位置に設定した場合は、シェード内側の反射構造も効果的と考えられる。
【符号の説明】
【００１９】
１    照明部
２    発光部
３    フロントシェード
４    バックシェード
５    照度設定ダイヤル
６    照射位置設定レバー
【図１】
2015146238.tif 000003
【図２】
2015146238.tif 000004
【図３】
2015146238.tif 000005
【図４】
2015146238.tif 000006
【図５】
2015146238.tif 000007
【図６】
2015146238.tif 000008